(57)【要約】【課題】保護カバー１０を筐体から取り外す作業、及びカード状の記録媒体を挿込孔から引き抜く作業に要する時間を短縮することができる記録媒体の保護カバーを提供する。【解決手段】保護カバー１０は、一対の第１側壁部１１、一対の第２側壁部１２及び底部１３を備えている。底部１３、一対の第１側壁部１１及び一対の第２側壁部１２により、記録媒体の張出部を収容する収容空間が形成されている。また、第２側壁部１２において収容空間を拡大させるように第２側壁部１２の一部が曲がって突出する部分である突出部が、収容空間につながる開口から底部１３の方向に延びるように形成されている。また、第２側壁部１２において底部１３と反対側の端部のうち突出部１５が形成されている部分には、外周面を挿込孔の内周面に当接させることにより筐体に保護カバー１０を取り付ける取付部１７が設けられている。【選択図】      図１
2017027334.tif 000002
【特許請求の範囲】
【請求項１】
筐体に形成された挿込孔にカード状の記録媒体が挿し込まれた状態で、前記筐体の外面に対して前記記録媒体の反挿込側が張り出した部分である張出部を保護する保護カバーであって、
底部と、互いに壁面を対向させた状態で前記底部の外縁に接続された一対の第１側壁部と、互いに壁面を対向させた状態で前記底部の外縁及び前記一対の第１側壁部に接続された一対の第２側壁部とを備え、前記底部、一対の前記第１側壁部及び一対の前記第２側壁部により、前記記録媒体の板面が前記第２側壁部の内壁面と対向するように前記張出部を収容する収容空間が形成されており、
一対の前記第１側壁部において前記底部と反対側の端部と、一対の前記第２側壁部において前記底部と反対側の端部とにより、前記記録媒体が挿し込まれてかつ前記収容空間につながる開口が形成されており、
前記第２側壁部において前記収容空間を拡大させるように前記第２側壁部の一部が曲がって突出する部分である突出部が、前記開口から前記底部の方向に延びるように形成されており、
一対の前記第１側壁部及び一対の前記第２側壁部のそれぞれは、弾性を有する材料で形成されており、
前記第２側壁部において前記底部と反対側の端部のうち少なくとも前記突出部が形成されている部分に設けられ、外周面を前記挿込孔の内周面に当接させることにより前記筐体に前記保護カバーを取り付ける取付部を備えることを特徴とする保護カバー。
【請求項２】
前記突出部は、前記第２側壁部において前記開口の外縁に沿って延びる方向の中間で前記開口から前記底部の方向に延びるように形成されており、
前記取付部は、前記第２側壁部において前記開口側の端部のうち前記突出部が形成されている部分のみに設けられていることを特徴とする請求項１に記載の保護カバー。
【請求項３】
前記突出部は、前記第２側壁部において前記開口から前記底部まで延びていることを特徴とする請求項１又は２に記載の保護カバー。
【請求項４】
前記突出部は、互いに対向するように一対形成されていることを特徴とする請求項１〜３のいずれか１項に記載の保護カバー。
【請求項５】
前記突出部が形成されている部分に設けられた前記取付部の先端部のみに形成され、前記取付部が前記挿込孔に挿し込まれた状態で前記筐体の内面のうち前記挿込孔の周縁部に引っ掛かる引っ掛かり部をさらに備えることを特徴とする請求項１〜４のいずれか１項に記載の保護カバー。
【発明の詳細な説明】
【技術分野】
【０００１】
本発明は、記録媒体の保護カバーに関する。
【背景技術】
【０００２】
従来、工場内の組立ラインにおいてロボット等の産業機器を制御するＰＬＣ（Programmable Logic Controller）等の制御機器が知られている（例えば特許文献１参照）。制御機器には、その筐体にＳＤカード等のカード状の記録媒体が挿し込まれる挿込孔が形成されているものもある。作業者は記録媒体を挿込孔に挿込むことにより、例えば、産業機器の制御プログラムを書き換えたり、制御プログラムの実行記録を取得するいわゆるデータロギングを行ったりする。
【先行技術文献】
【特許文献】
【０００３】
【特許文献１】特開２００６−９９６３９号公報
【発明の概要】
【発明が解決しようとする課題】
【０００４】
近年、制御機器が小型化されることに伴い、制御機器の筐体内のスペースが狭くなっている。このため、記録媒体が筐体の挿込孔に挿し込まれた状態において、記録媒体の全てを筐体内に収容するスペースを確保できず、筐体の外面に対して記録媒体の反挿込側が張り出すような構成の制御機器も存在する。このような制御機器の筐体には、挿込孔に挿し込まれた状態の記録媒体を保護する保護カバーが取り付けられる。詳しくは、この保護カバーは、挿込孔に記録媒体が挿し込まれた状態で筐体の外面に対して記録媒体の反挿込側が張り出した部分である張出部を保護するものである。
【０００５】
ここで、保護カバーが筐体に取り付けられた状態で、作業者により記録媒体を挿込孔から引き抜く作業が行われることがある。この作業は、組立ラインを停止させた状態で行われる。組立ラインの停止時間が長いと、工場における生産性が低下し得るため、組立ラインの停止時間は、短いことが望まれる。組立ラインの停止時間を短縮するには、記録媒体を引き抜く作業に要する時間を短縮することが要求される。しかしながら、記録媒体を挿込孔から引き抜くには、まず、記録媒体の保護カバーを制御機器の筐体から取り外す必要がある。記録媒体の引き抜き作業に加えて、保護カバーの取り外し作業が追加されると、組立ラインの停止時間が長くなる懸念がある。特に、組立ラインにおいて制御機器が複数設置されている場合、複数の制御機器のそれぞれについて保護カバーの取り外し作業及び記録媒体の引き抜き作業が開始されてから完了するまでに要する時間がより長くなり、組立ラインの停止時間がより長くなる懸念がある。
【０００６】
本発明は、保護カバーを筐体から取り外す作業、及び記録媒体を挿込孔から引き抜く作業に要する時間を短縮することができる記録媒体の保護カバーを提供することを主たる目的とする。
【課題を解決するための手段】
【０００７】
以下、上記課題を解決するための手段、及びその作用効果について記載する。
【０００８】
第１の発明は、筐体に形成された挿込孔にカード状の記録媒体が挿し込まれた状態で、前記筐体の外面に対して前記記録媒体の反挿込側が張り出した部分である張出部を保護する保護カバーであって、底部と、互いに壁面を対向させた状態で前記底部の外縁に接続された一対の第１側壁部と、互いに壁面を対向させた状態で前記底部の外縁及び前記一対の第１側壁部に接続された一対の第２側壁部とを備え、前記底部、一対の前記第１側壁部及び一対の前記第２側壁部により、前記記録媒体の板面が前記第２側壁部の内壁面と対向するように前記張出部を収容する収容空間が形成されており、一対の前記第１側壁部において前記底部と反対側の端部と、一対の前記第２側壁部において前記底部と反対側の端部とにより、前記記録媒体が挿し込まれてかつ前記収容空間につながる開口が形成されており、前記第２側壁部において前記収容空間を拡大させるように前記第２側壁部の一部が曲がって突出する部分である突出部が、前記開口から前記底部の方向に延びるように形成されており、一対の前記第１側壁部及び一対の前記第２側壁部のそれぞれは、弾性を有する材料で形成されており、前記第２側壁部において前記底部と反対側の端部のうち少なくとも前記突出部が形成されている部分に設けられ、外周面を前記挿込孔の内周面に当接させることにより前記筐体に前記保護カバーを取り付ける取付部を備えることを特徴とする。
【０００９】
上記発明では、底部、一対の第１側壁部、及び一対の第２側壁部により、記録媒体の板面が第２壁部の内壁面と対向するように記録媒体の張出部を収容する収容空間が形成されている。そして、一対の第１側壁部において底部と反対側の端部と、一対の第２側壁部において底部と反対側の端部とにより、記録媒体が挿し込まれてかつ収容空間につながる開口が形成されている。この構成において、第２側壁部において底部と反対側の端部に設けられた取付部の外周面が挿込孔の内周面に当接することにより、張出部を収容空間に収容した状態で保護カバーが筐体に取り付けられる。
【００１０】
続いて、保護カバーの取り外しについて説明する。上記発明では、第２側壁部において収容空間を拡大させるように第２側壁部の一部が曲がって突出する部分である突出部が、開口から底部の方向に延びるように形成されている。突出部によってその内壁側に凹み空間が形成されているため、第２側壁部の剛性を小さくできる。このため、一対の第１側壁部が作業者の指で挟まれて押される場合において、一対の第１側壁部の対向方向に第２側壁部が弾性変形しやすくなり、第１側壁部が逃げ込む場が広がる。これにより、上記発明によれば、突出部が形成されていない構成と比較して、一対の第１側壁部が挟まれて押される場合において、一対の第１側壁部同士をその対向方向に弾性変形させやすくでき、収容空間に収容された状態の記録媒体の端部に第１側壁部の内壁面を当接させやすくできる。その結果、一対の第１側壁部を指で挟みながら保護カバーを引き抜く作業により、収容空間に記録媒体の張出部を収容したまま記録媒体及び保護カバーを同時に引き抜くことができる。したがって、保護カバーを筐体から取り外す作業、及び記録媒体を挿込孔から引き抜く作業に要する時間を短縮することができ、ひいては組立ラインの停止時間を短縮することができる。
【００１１】
ところで、保護カバーに傷がついて保護カバーを交換する必要がある場合等、記録媒体が挿込孔に挿し込まれた状態のまま、保護カバーのみを筐体から取り外したいことがある。ここで上記発明では、第２側壁部において底部と反対側の端部のうち少なくとも突出部が形成されている部分に、取付部が設けられている。このため、保護カバーが筐体に取り付けられた状態で突出部を指で押すことにより、突出部が形成されている部分に設けられた取付部の外周面の一部を挿込孔の内周面から離間させることができる。この際、突出部の内壁側に形成された凹み空間により、突出部の内壁面が記録媒体の板面に当接しにくい。したがって、突出部を指で押しながら保護カバーを引き抜く作業により、記録媒体が挿込孔に挿し込まれた状態のまま、保護カバーのみを筐体から容易に取り外すことができる。
【００１２】
第２の発明は、前記突出部は、前記第２側壁部において前記開口の外縁に沿って延びる方向の中間で前記開口から前記底部の方向に延びるように形成されており、前記取付部は、前記第２側壁部において前記開口側の端部のうち前記突出部が形成されている部分のみに設けられていることを特徴とする。
【００１３】
第２側壁部において底部と反対側の端部のうち開口の外縁に沿って延びる方向の両端のそれぞれに取付部が設けられた構成では、保護カバーが筐体に取り付けられた状態において、上記両端のそれぞれに設けられた取付部の外周面が挿込孔の内周面に当接する。このため、保護カバーを筐体から取り外す場合において、一対の第１側壁部のうち開口寄りの部分が指で挟まれて押されたとしても、取付部の外周面と挿込孔の内周面とが当接していることにより、一対の第１側壁部同士の対向方向における弾性変形が妨げられる。その結果、収容空間に収容された状態の記録媒体の端部に第１側壁部の内壁面が当接しにくくなり、保護カバー及び記録媒体を同時に取り外しにくくなるといった不都合が生じる。この不都合を回避するには、例えば、一対の第１側壁部において、開口から離れた弾性変形しやすい部分（例えば、中央部分）を挟んで押すことにより、保護カバー及び記録媒体を同時に取り外すことも考えられる。ただし、弾性変形しやすい部分を的確に押すには経験を要する。したがって、作業歴が短い作業者にとっては、第１側壁部において弾性変形しやすい部分を押す作業が容易ではなく、作業効率が低下する懸念がある。
【００１４】
そこで上記発明では、第２側壁部において開口の外縁に沿って延びる方向の中間で開口から底部の方向に延びるように突出部が形成されている。そして、第２側壁部において開口側の端部のうち突出部が形成されている部分のみに取付部が設けられている。このため、一対の第１側壁部の開口寄りの部分を指で挟んで押す場合において、一対の第１側壁部同士の対向方向における弾性変形が取付部によって妨げられることを回避できる。これにより、第１側壁部においてどの部分を押す場合であっても、第１側壁部の弾性変形のしやすさが略同一となる。したがって、作業歴が短い作業者であっても、保護カバー及び記録媒体の双方を同時に取り外す作業を容易に行うことができ、作業効率を向上させることができる。
【００１５】
第３の発明は、前記突出部は、前記第２側壁部において前記開口から前記底部まで延びていることを特徴とする。
【００１６】
上記発明では、突出部が第２側壁部において開口から底部まで延びていることにより、突出部の内壁側に形成された凹み空間が開口から底部まで延びている。このため、開口から底部に渡って一対の第１側壁部同士がその対向方向に弾性変形する逃げ場を形成することができ、一対の第１側壁部のどの部分を指で挟んで押しても、第１側壁部が弾性変形しやすい。これにより、作業歴が短い作業者であっても、記録媒体及び保護カバーを同時に取り外す作業を容易に行うことができ、作業効率を向上させることができる。
【００１７】
第４の発明は、前記突出部は、互いに対向するように一対形成されていることを特徴とする。
【００１８】
一対の第２側壁部のうち一方のみにしか突出部が形成されていない構成では、一対の第２側壁部のうち突出部が形成されていない方に凹み空間が形成されない。この場合、保護カバーのみを筐体から取り外すために、一対の第２側壁部のうち一方の第２側壁部と、他方の第２側壁部の突出部とを挟んで押すと、凹み空間が形成されていない第２側壁部の内壁面に記録媒体の板面が当接しやすい。その結果、保護カバーのみを取り外そうとしているにもかかわらず、保護カバーに加えて記録媒体も誤って引き抜きやすくなる懸念がある。
【００１９】
そこで上記発明では、第２側壁部において互いに対向するように一対突出部が形成されている。このため、一対の第２側壁部の双方の内壁側に凹み空間を形成することができる。これにより、保護カバーのみを筐体から取り外すために一対の突出部を挟んで押すことにより、一対の第２側壁部のそれぞれの内壁面が記録媒体の板面に当接しにくくなる。したがって、保護カバーのみを取り外したいにもかかわらず、記録媒体を誤って引き抜いてしまう事態を回避することができる。
【００２０】
また上記発明では、一対の突出部が互いに対向するように形成されているため、一対の突出部を挟んで押す場合、一対の突出部のうち一方の力の作用点と、他方の力の作用点とを、第２側壁部の開口の外縁に沿って延びる方向において近づけることができる。これにより、一対の突出部を安定して押すことができ、保護カバーのみを取り外す作業のミスを低減できる。
【００２１】
第５の発明は、前記突出部が形成されている部分に設けられた前記取付部の先端部のみに形成され、前記取付部が前記挿込孔に挿し込まれた状態で前記筐体の内面のうち前記挿込孔の周縁部に引っ掛かる引っ掛かり部をさらに備えることを特徴とする。
【００２２】
上記発明では、突出部が形成されている部分に設けられた取付部の先端部のみに引っ掛かり部が形成されている。このため、保護カバーを筐体に取り付ける場合、突出部を押すだけで引っ掛かり部を内側に変位させることができ、挿込孔に取付部を挿し込みやすくなる。これにより、記録媒体の挿し込み作業及び保護カバーの取り付け作業を容易にでき、作業効率を向上させることができる。
【図面の簡単な説明】
【００２３】
【図１】第１実施形態にかかる保護カバーの平面図。
【図２】図１の保護カバーをα方向から見た場合の図。
【図３】図１の保護カバーをβ方向から見た場合の図。
【図４】図１の保護カバーをγ方向から見た場合の図。
【図５】図２の保護カバーのＢ−Ｂ線断面図。
【図６】図１の保護カバーのＡ−Ａ線断面図。
【図７】カード状の記録媒体が挿し込まれた状態の制御機器の正面図。
【図８】図７の制御機器をＫ方向から見た場合の部分拡大図。
【図９】図８のＣ−Ｃ線の部分断面図。
【図１０】保護カバーの取り付け手法を示す図。
【図１１】図１０（ｂ）のＥ−Ｅ線断面図。
【図１２】関連技術にかかる保護カバーの平面図。
【図１３】図１２の保護カバーをδ方向から見た場合の図。
【図１４】保護カバー及び記録媒体の双方を取り外す場合の保護カバーの断面図。
【図１５】第２実施形態にかかる保護カバーの平面図。
【図１６】図１５の保護カバーをε方向から見た場合の図。
【図１７】図１５の保護カバーをζ方向から見た場合の図。
【図１８】図１６の保護カバーのＦ−Ｆ線断面図。
【発明を実施するための形態】
【００２４】
（第１実施形態）
以下、本発明にかかる記録媒体の保護カバーを具体化した第１実施形態について、図面を参照しつつ説明する。
【００２５】
本実施形態にかかる保護カバーは、ＳＤカードやコンパクトフラッシュ（登録商標）等のカード状の記録媒体ＣＡを保護するものである。図７に示すように、この記録媒体ＣＡは、工場内の組立ラインにおいてロボットやコンベア等の産業機器を制御する制御機器１００（例えばＰＬＣ）の側面の挿込孔に挿し込まれる。これにより、例えば、ロボット等の制御プログラムが書き換えられたり、制御プログラムのデータロギングが行われたりする。記録媒体ＣＡは、例えばデータロギングが行われる場合、組立ラインの稼働前に挿し込まれ、組立ラインの稼働後に引き抜かれる。制御機器１００は、図８に示すように、筐体１０１の側面に形成された上記挿込孔１０２に記録媒体ＣＡが挿し込まれた状態で、筐体１０１の外面に対して記録媒体ＣＡの反挿込側が張り出すような構成のものである。保護カバーは、この張り出した部分である張出部を保護する。
【００２６】
まず、保護カバー単体の構成について説明する。
【００２７】
図１〜図６に示すように、保護カバー１０は、一対の第１側壁部１１、一対の第２側壁部１２、及び底部１３を備えている。本実施形態において、保護カバー１０は、弾性を有する材料にて形成され、具体的にはゴムにて形成されている。
【００２８】
一対の第１側壁部１１は、互いに壁面を対向させた状態で底部１３の外縁に接続されている。第２側壁部１２は、互いに壁面を対向させた状態で、底部１３の外縁と、第１側壁部１１とに接続されている。底部１３、一対の第１側壁部１１及び一対の第２側壁部１２により、記録媒体ＣＡの張出部を収容する収容空間Ｓａが形成されている。また、一対の第１側壁部１１において底部１３と反対側の端部と、一対の第２側壁部１２において底部１３と反対側の端部とにより、記録媒体ＣＡが挿し込まれてかつ収容空間Ｓａにつながる１つの開口１４が形成されている。
【００２９】
一対の第１側壁部１１同士の対向方向における距離寸法Ｌ１は、一対の第２側壁部１２同士の対向方向における距離寸法Ｌ２よりも大きく設定されている。このため、開口１４は、扁平な長方形状をなしており、一対の第１側壁部１１及び一対の第２側壁部１２によって形成された周壁部は、扁平な直方体状をなしている。なお図１〜図６には、一対の第１側壁部１１の対向方向（開口１４の長手方向）をＸ方向とし、一対の第２側壁部１２の対向方向（開口１４の短手方向）をＹ方向としている。また、図１〜図６では、開口１４から底部１３への深さ方向をＺ方向としている。そして、図１では、開口１４側を被挿込側と表記し、底部１３側を反挿込側と表記している。
【００３０】
第２側壁部１２には、Ｚ方向における開口１４側の端部から底部１３まで延びる突出部１５が形成されている。突出部１５は、Ｘ方向における中間（具体的には、中央）に形成されている。突出部１５は、収容空間Ｓａを拡大させるように第２側壁部１２の一部が曲がって外側に突出する部分である。本実施形態において、突出部１５は、第２側壁部１２において内壁面がＹ方向に矩形状に凹むことにより外壁面が外側に矩形状に突出する部分である。また、突出部１５は、一対の第２側壁部１２のそれぞれに形成されている。突出部１５の内壁側には、内壁面が凹む凹み空間Ｓｂが形成されている。凹み空間Ｓｂは、開口１４から底部１３まで延びている。
【００３１】
なお、第２側壁部１２同士の対向方向における距離寸法Ｌ２が、記録媒体ＣＡの厚さ寸法よりも大きく設定されている。また、第１側壁部１１同士の対向方向における距離寸法Ｌ１が、記録媒体ＣＡの幅寸法よりも大きく設定されている。
【００３２】
保護カバー１０は、さらに、フランジ部１６、取付部１７、及び引っ掛かり部１８を備えている。フランジ部１６は、第１側壁部１１及び第２側壁部１２の外壁面から外側へ突出する鍔状の部分であり、第１側壁部１１及び第２側壁部１２のそれぞれの開口１４側の端部に設けられている。フランジ部１６は、保護カバー１０が筐体１０１に取り付けられた状態で、開口１４側の端面が筐体１０１の外面に当接する。本実施形態では、フランジ部１６が、第１側壁部１１及び第２側壁部１２の外壁面の全周に渡って設けられている。
【００３３】
取付部１７は、一対の突出部１５において、開口１４側の端部から、底部１３と反対側の方向に延びる部分である。取付部１７は、一対の第１取付部１７ａと、第２取付部１７ｂとを含む。第１取付部１７ａは、Ｙ方向に延びる部分である。第２取付部１７ｂは、Ｘ方向に延びる部分であり、一対の第１取付部１７ａのそれぞれの端部を接続している。
【００３４】
引っ掛かり部１８は、取付部１７の先端部のみに設けられている。引っ掛かり部１８は、取付部１７が挿込孔１０２に挿し込まれた状態で筐体１０１の内面のうち挿込孔１０２の周縁部に引っ掛かる部分である。
【００３５】
保護カバー１０は、さらにリブ部１９を備えている。リブ部１９は、一対の第２側壁部１２のそれぞれの内壁面側において底部１３から開口１４の方向へ延びる一対のリブ形状をなしている。本実施形態において、リブ部１９は複数組（２組）設けられている。リブ部１９は、開口１４側から底部１３側に向かうに連れて第２側壁部１２の内壁面からの高さが高くなる案内部１９ａと、案内部１９ａと連続し、記録媒体ＣＡの端部を保持する保持部１９ｂとを含む。案内部１９ａは、開口１４側から挿込された記録媒体ＣＡを保持部１９ｂへと円滑に案内するための部分である。
【００３６】
続いて、図７〜図９を用いて、保護カバー１０が取り付けられる制御機器１００について説明する。なお、図７〜図９には、保護カバー１０が取り付けられてない状態の制御機器１００を示している。
【００３７】
制御機器１００は、その筐体１０１の内部に、制御基板１０３と、コネクタ１０４とを備えている。コネクタ１０４は、記録媒体ＣＡが挿し込まれる側を挿込孔１０２に対向させた状態で制御基板１０３の板面に実装されている。コネクタ１０４に記録媒体ＣＡが挿し込まれることにより、制御基板１０３と記録媒体ＣＡとが電気的に接続される。これにより、制御プログラムの書き換えやデータロギング等を行うことができる。
【００３８】
筐体１０１に形成された挿込孔１０２は、記録媒体ＣＡが挿し込まれる第１挿込孔１０２ａと、第１挿込孔１０２ａの長手方向（図８の上下方向）の中間（具体的には、中央）から互いに逆方向に延びるように形成された一対の第２挿込孔１０２ｂとからなる。第２挿込孔１０２ｂの内周面には、第１取付部１７ａ及び第２取付部１７ｂの外周面が当接する。
【００３９】
続いて、図１０及び図１１を用いて、保護カバー１０の筐体１０１への取り付け手法について説明する。ここで図１０は、図８のＤ−Ｄ線断面図に相当するものである。
【００４０】
図１０（ａ）に示すように、保護カバー１０を筐体１０１に取り付ける前に、まず、開口１４に記録媒体ＣＡが挿し込まれる。これにより、記録媒体ＣＡの張出部が保護カバー１０の収容空間Ｓａに収容される。また、記録媒体ＣＡの挿し込み方向における端部が案内部１９ａによって保持部１９ｂまで案内される。これにより、記録媒体ＣＡの挿し込み方向における端部は、保持部１９ｂに保持されるとともに、底部１３の内壁面に当接する。
【００４１】
そして、記録媒体ＣＡの張出部が収容空間Ｓａに収容された状態で、保護カバー１０及び記録媒体ＣＡが作業者に把持される。そして、図１０（ｂ）に示すように、作業者により、記録媒体ＣＡの保護カバー１０から露出した側の先端部が挿込孔１０２及びコネクタ１０４に挿し込まれる。ここでは、２本の指（例えば、親指と人差し指）で一対の突出部１５を挟みつつ、１本の指（例えば、中指）で底部１３のＸ方向における中央部分が挿し込み方向に押される。これにより、取付部１７は、取付部１７及び引っ掛かり部１８を内側に弾性変形させながら挿込孔１０２に押し込まれる。ここで、一対の突出部１５を挟んで保護カバー１０及び記録媒体ＣＡを把持するのは、記録媒体ＣＡを挿込孔１０２に挿し込む作業及び保護カバー１０の取り付け作業を容易に行うためである。つまり、一対の突出部１５がＹ方向内側に押されることに伴い、図１１に示すように、第２取付部１７ｂがＹ方向内側に凹むように弾性変形する。このため、取付部１７が挿込孔１０２に入りやすくなり、記録媒体ＣＡを挿込孔１０２に挿し込む作業及び保護カバー１０の取り付け作業を容易に行うことができる。
【００４２】
そして、図１０（ｃ）に示すように、フランジ部１６が筐体１０１の外面に当接するまで取付部１７が挿込孔１０２に押し込まれる。これにより、記録媒体ＣＡのコネクタ１０４への挿し込みが完了するとともに、第１取付部１７ａ及び第２取付部１７ｂの外周面が第２挿込孔１０２ｂの内周面に当接する。これにより、記録媒体ＣＡの張出部が収容空間Ｓａに収容された状態で保護カバー１０が筐体１０１に取り付けられる。
【００４３】
保護カバー１０が筐体１０１に取り付けられた状態では、記録媒体ＣＡは、その板面を第１側壁部１１及び第２側壁部１２の内壁面から離間させた状態でコネクタ１０４及び保持部１９ｂによって保持されている。また、保護カバー１０が筐体１０１に取り付けられた状態では、記録媒体ＣＡの挿し込み方向において記録媒体ＣＡと底部１３との間に隙間が形成されている。
【００４４】
続いて、本実施形態にかかる保護カバー１０の取り付け時の効果を、図１２及び図１３に示す関連技術にかかる保護カバー３０と対比しつつ説明する。まず、関連技術にかかる保護カバー３０について説明する。なお、図１２及び図１３において、先の図１〜図６と共通する構成については、便宜上、同一の符号を付している。
【００４５】
関連技術にかかる保護カバー３０は、一対の第１側壁部１１、一対の第２側壁部１２及び底部１３を備えている。ここで、保護カバー３０の第２側壁部１２には、突出部１５が形成されていない。
【００４６】
保護カバー３０は、さらに、フランジ部３１、取付部３２、及び引っ掛かり部３３を備えている。フランジ部３１は、第２側壁部１２において底部１３と反対側の端部の全周に渡って設けられている。取付部３２は、その先端部が、第２側壁部１２において底部１３と反対側の端部から底部１３と反対側に延びる部分である。引っ掛かり部３３は、取付部３２の先端部に設けられている。
【００４７】
関連技術にかかる保護カバー３０では、保護カバー３０を筐体の挿込孔に挿し込む場合、引っ掛かり部３３を内側に弾性変形させるために、例えば３本以上の指で第２側壁部１２の広い範囲を押さえなければならず、作業効率が悪い。これに対し、本実施形態によれば、引っ掛かり部１８を内側に弾性変形させるために、例えば親指と人差し指の２本で第２側壁部１２を押せばよい。これにより、保護カバー３０の取り付け作業及び記録媒体ＣＡの挿し込み作業が容易になり、作業効率を向上できる。
【００４８】
続いて、図１４を用いて、保護カバー１０の筐体１０１からの取り外し手法について説明する。ここで図１４は、図１０（ｂ）のＥ−Ｅ線断面図に相当するものである。
【００４９】
保護カバー１０の取り外し作業は、一対の第１側壁部１１を指で挟みながら保護カバー１０を引き抜く作業となる。ここで、図１４に示すように、凹み空間Ｓｂが形成されていることから、Ｘ方向における第２側壁部１２の剛性を小さくできる。このため、一対の第１側壁部１１を指で挟んで押す場合に、第２側壁部１２をＸ方向に弾性変形させやすくなり、一対の第１側壁部１１同士をＸ方向に弾性変形させやすい。その結果、一対の第１側壁部１１の内壁面を記録媒体ＣＡの幅方向の端部に当接させやすくすることができる。したがって、一対の第１側壁部１１を指で挟んで押す作業により、保護カバー１０及び記録媒体ＣＡの双方を同時に取り外すことができる。
【００５０】
ここで保護カバー１０に傷がついて保護カバー１０を交換する必要がある場合等において、記録媒体ＣＡが挿込孔１０２に挿し込まれた状態のまま、保護カバー１０のみを筐体１０１から取り外したいことがある。そこで、先の図１１に示すように、保護カバー１０が筐体１０１に取り付けられた状態で突出部１５を指で押すことにより、突出部１５に設けられた第２取付部１７ｂの外周面の一部を第２挿込孔１０２ｂの内周面から離間させるように弾性変形させる。この際、凹み空間Ｓｂが形成されているため、突出部１５の内壁面が記録媒体ＣＡの板面に当接しにくい。したがって、突出部１５を指で押しながら保護カバー１０を引き抜く作業により、記録媒体ＣＡが挿込孔１０２に挿し込まれた状態のまま、保護カバー１０のみを筐体１０１から容易に取り外すことができる。
【００５１】
以上説明した本実施形態の効果について説明する。
【００５２】
（１）第２側壁部１２において収容空間Ｓａを拡大させるように第２側壁部１２の一部が曲がって突出する部分である突出部を、開口１４から底部１３の方向に延びるように形成した。このため、一対の第１側壁部１１が作業者の指で挟まれて押される場合、突出部１５の内壁側に形成された凹み空間Ｓｂは、第１側壁部１１同士がその対向方向に弾性変形する逃げ場となる。これにより、一対の第１側壁部１１が挟まれて押される場合に、第１側壁部１１同士をその対向方向に弾性変形させやすくでき、一対の第１側壁部１１の内壁面を記録媒体ＣＡの幅方向の端部に当接させやすくすることができる。その結果、一対の第１側壁部１１を指で挟んで押す作業により、収容空間Ｓａに記録媒体ＣＡの張出部を収容したまま記録媒体ＣＡ及び保護カバー１０を同時に引き抜くことができる。したがって、保護カバー１０を筐体１０１から取り外す作業、及び記録媒体ＣＡを挿込孔１０２から引き抜く作業に要する時間を短縮することができ、ひいては組立ラインの停止時間を短縮することができる。
【００５３】
また、突出部１５を形成したことにより、保護カバー１０が筐体１０１に取り付けられた状態で突出部１５を指で押すことにより、第１取付部１７ａの外周面を第２挿込孔１０２ｂの内周面から離間させるように第１取付部１７ａを弾性変形させることができる。この際、凹み空間Ｓｂが形成されているため、突出部１５の内壁面が記録媒体ＣＡの板面に当接しにくい。したがって、保護カバー１０のみを筐体１０１から取り外したい場合において、突出部１５を指で押しながら保護カバー１０を引き抜くことにより、記録媒体ＣＡが挿込孔１０２に挿し込まれた状態のまま、保護カバー１０のみを筐体１０１から容易に取り外すことができる。
【００５４】
（２）一対の第２側壁部１２において開口１４のＸ方向の外縁に沿って延びる方向の中央で、開口１４から底部１３の方向に延びるように突出部１５を形成した。そして、一対の第２側壁部１２において、底部１３と反対側の端部のうち突出部１５が形成されている部分のみに取付部１７を設けた。このため、一対の第１側壁部１１の開口１４寄りの部分を指で挟んで押す場合において、第１側壁部１１同士の対向方向における弾性変形が、取付部１７によって妨げられることを回避できる。これにより、第１側壁部１１のＺ方向におけるどの部分を押す場合であっても、第１側壁部１１の弾性変形のしやすさが略同一である。したがって、作業歴が短い作業者であっても、保護カバー１０及び記録媒体ＣＡの双方を同時に取り外す作業を容易に行うことができ、作業効率の低下を抑制することができる。
【００５５】
（３）一対の第２側壁部１２において、開口１４から底部１３まで突出部１５を形成した。このため、開口１４から底部１３に渡って第１側壁部１１同士がその対向方向に弾性変形する逃げ場を形成することができ、一対の第１側壁部１１のＺ方向におけるどの部分を指で挟んで押す場合であっても、第１側壁部１１が弾性変形しやすい。これにより、作業歴が短い作業者であっても、記録媒体ＣＡ及び保護カバー１０を同時に引き抜く作業を容易に行うことができ、保護カバー１０の取り外し作業、及び記録媒体ＣＡの引き抜き作業の効率を向上させることができる。
【００５６】
（４）第２側壁部１２において互いに対向するように一対の突出部１５を形成した。このため、一対の第２側壁部１２のそれぞれの内壁面側に凹み空間Ｓｂを形成することができる。これにより、保護カバー１０のみを筐体１０１から取り外すために一対の突出部１５を挟んで押すことにより、一対の第２側壁部１２の内壁面が記録媒体ＣＡの板面に当接しにくくなる。したがって、保護カバー１０のみを取り外したいにもかかわらず、記録媒体ＣＡを誤って引き抜いてしまう事態を回避することができる。
【００５７】
また、一対の突出部１５が互いに対向するように形成されているため、一対の突出部１５を挟んで押す場合において、一対の突出部１５のうち一方の力の作用点と、他方の力の作用点とをＸ方向において近づけることができる。これにより、一対の突出部１５を安定して押すことができ、保護カバー１０のみを取り外す作業のミスを低減できる。
【００５８】
（５）突出部１５が形成されている部分に設けられた取付部１７の先端部のみに引っ掛かり部１８を設けた。このため、保護カバー１０を筐体１０１に取り付ける場合、突出部１５を押すだけで引っ掛かり部１８を内側に弾性変形させることができ、挿込孔１０２に取付部１７を挿し込みやすくなる。これにより、記録媒体ＣＡの挿し込み作業及び保護カバー１０の取り付け作業を容易にできるとともに、作業効率を向上させることができる。
【００５９】
（第２実施形態）
第２実施形態では、保護カバーの取付部の構成を変更する。以下、上記第１実施形態との相違点を中心に説明する。
【００６０】
図１５〜図１８に、本実施形態にかかる保護カバー２０を示す。なお、図１５〜図１８において、先の図１〜図６に示した構成と同一の構成については、便宜上、同一の符号を付している。
【００６１】
本実施形態では、一対の第２側壁部１２において底部１３と反対側の端部の全てと、一対の第１側壁部１１において底部１３と反対側の端部の全てとに、取付部２１が設けられている。ただし、引っ掛かり部１８は、突出部１５に設けられた取付部２１の先端部のみに設けられている。
【００６２】
以上説明した本実施形態によっても、上記第１実施形態の（１），（３）〜（５）の効果を得ることはできる。
【００６３】
なお、上記各実施形態を以下のように変更して実施することもできる。
【００６４】
・上記各実施形態において、引っ掛かり部を省略してもよい。
【００６５】
・上記各実施形態において、突出部は、開口の外縁に沿って延びる方向の中央以外で開口から底部の方向に延びるように形成されていてもよい。
【００６６】
・上記各実施形態では、第２側壁部１２において開口１４から底部１３に渡って突出部を形成したがこれに限らない。第２側壁部１２において、開口１４から底部１３に至るまでの途中に渡って突出部を形成してもよい。この場合であっても、上記第１実施形態の（１），（２），（４），（５）の効果を得ることはできる。
【００６７】
・上記各実施形態では、一対の第２側壁部１２のそれぞれに取付部を設けたがこれに限らず、一対の第２側壁部１２のうちいずれかに取付部を設けてもよい。
【００６８】
・取付部としては、上記各実施形態に例示した形状のものに限らず、例えば、取付部が延びる方向に垂直な断面が円弧状のものであってもよい。
【００６９】
・上記各実施形態では、一対の第２側壁部１２のそれぞれに突出部を形成したがこれに限らず、一対の第２側壁部１２のうちいずれかに突出部を形成してもよい。
【符号の説明】
【００７０】
１０…保護カバー、１１…第１側壁部、１２…第２側壁部、１３…底部、１７…取付部、ＣＡ…記録媒体、Ｓａ…収容空間。
【図１】
2017027334.tif 000003
【図２】
2017027334.tif 000004
【図３】
2017027334.tif 000005
【図４】
2017027334.tif 000006
【図５】
2017027334.tif 000007
【図６】
2017027334.tif 000008
【図７】
2017027334.tif 000009
【図８】
2017027334.tif 000010
【図９】
2017027334.tif 000011
【図１０】
2017027334.tif 000012
【図１１】
2017027334.tif 000013
【図１２】
2017027334.tif 000014
【図１３】
2017027334.tif 000015
【図１４】
2017027334.tif 000016
【図１５】
2017027334.tif 000017
【図１６】
2017027334.tif 000018
【図１７】
2017027334.tif 000019
【図１８】
2017027334.tif 000020